(57)【特許請求の範囲】
【請求項１】
下りリンク用タイムスロットごとに、符号多重方式により該下りリンク用タイムスロットを共有するユーザ数に応じて、ＳＴＤを適用するか、ＴｘＡＡを適用するか、或いは、送信ダイバーシチを用いないかについて決定する送信ダイバーシチ制御手段と、
前記決定結果に基づいて、前記下りリンク用タイムスロット上でデータを送信するデータ送信手段とを具備し、
前記送信ダイバーシチ制御手段は、複数のユーザが第１の下りリンク用タイムスロットを共有している場合、該第１の下りリンク用タイムスロットにおいて送信ダイバーシチを用いないか或いはＳＴＤを適用すると決定し、一人のユーザが第２の下りリンク用タイムスロットを占有している場合、該第２の下りリンク用タイムスロットにおいてＴｘＡＡを適用すると決定することを特徴とする無線基地局。
【請求項２】
下りリンク用タイムスロットごとに、符号多重方式により該下りリンク用タイムスロットを共有するユーザ数に応じて、ＳＴＤを適用するか、ＴｘＡＡを適用するか、或いは、送信ダイバーシチを用いないかについて決定する送信ダイバーシチ制御手段と、
前記決定結果に基づいて、前記下りリンク用タイムスロット上でデータを送信するデータ送信手段とを具備し、
前記送信ダイバーシチ制御手段は、所定数以上のユーザが第１の下りリンク用タイムスロットを共有している場合、該第１の下りリンク用タイムスロットにおいて送信ダイバーシチを用いないか或いはＳＴＤを適用すると決定し、所定数未満のユーザが第２の下りリンク用タイムスロットを占有している場合、該第２の下りリンク用タイムスロットにおいてＴｘＡＡを適用すると決定することを特徴とする無線基地局。
【請求項３】
下りリンク用タイムスロットごとに、符号多重方式により該下りリンク用タイムスロットを共有するユーザ数に応じて、ＳＴＤを適用するか、ＴｘＡＡを適用するか、或いは、送信ダイバーシチを用いないかについて決定する送信ダイバーシチ制御手段と、
前記決定結果に基づいて、前記下りリンク用タイムスロット上でデータを送信するデータ送信手段と、
上りリンク用タイムスロットに対してチャネル推定を行うチャネル推定手段とを具備し、
前記送信ダイバーシチ制御手段は、前記チャネル推定が行われた時点と第１の下りリンク用タイムスロットとの時間差が所定の閾値以下の範囲であり、かつ、一人のユーザが該第１の下りリンク用タイムスロットを共有している場合、該第１の下りリンク用タイムスロットにおいてＴｘＡＡを適用すると決定し、その他の場合には、該第１の下りリンク用タイムスロットにおいて送信ダイバーシチを用いないか或いはＳＴＤを適用すると決定することを特徴とする無線基地局。
【請求項４】
上りリンク用タイムスロットに対してチャネル推定を行うチャネル推定手段を具備し、
前記送信ダイバーシチ制御手段は、特定の下りリンク用タイムスロットにおいてＳＴＤ又はＴｘＡＡが適用されると決定された場合、前記チャネル推定の結果に基づいて、該ＳＴＤ又は該ＴｘＡＡで用いられる重み付け係数を決定することを特徴とする請求項１乃至３のいずれか一項に記載の無線基地局。
【請求項５】
無線基地局において、下りリンク用タイムスロットごとに、符号多重方式により該下りリンク用タイムスロットを共有するユーザ数に応じて、ＳＴＤを適用するか、ＴｘＡＡを適用するか、或いは、送信ダイバーシチを用いないかについて決定する工程と、
前記無線基地局において、前記決定結果に基づいて、前記下りリンク用タイムスロット上でデータを送信する工程とを有し、
前記決定する工程において、複数のユーザが第１の下りリンク用タイムスロットを共有している場合、該第1の下りリンク用タイムスロットにおいて送信ダイバーシチを用いないか或いはＳＴＤを適用すると決定し、一人のユーザが第２の下りリンク用タイムスロットを占有している場合、該第２の下りリンク用タイムスロットにおいてＴｘＡＡを適用すると決定することを特徴とする無線通信制御方法。
【請求項６】
無線基地局において、下りリンク用タイムスロットごとに、符号多重方式により該下りリンク用タイムスロットを共有するユーザ数に応じて、ＳＴＤを適用するか、ＴｘＡＡを適用するか、或いは、送信ダイバーシチを用いないかについて決定する工程と、
前記無線基地局において、前記決定結果に基づいて、前記下りリンク用タイムスロット上でデータを送信する工程とを有し、
前記決定する工程において、所定数以上のユーザが第１の下りリンク用タイムスロットを共有している場合、該第１の下りリンク用タイムスロットにおいて送信ダイバーシチを用いないか或いはＳＴＤを適用すると決定し、所定数未満のユーザが第２の下りリンク用タイムスロットを占有している場合、該第２の下りリンク用タイムスロットにおいてＴｘＡＡを適用すると決定することを特徴とする無線通信制御方法。
【請求項７】
無線基地局において、下りリンク用タイムスロットごとに、符号多重方式により該下りリンク用タイムスロットを共有するユーザ数に応じて、ＳＴＤを適用するか、ＴｘＡＡを適用するか、或いは、送信ダイバーシチを用いないかについて決定する工程と、
前記無線基地局において、前記決定結果に基づいて、前記下りリンク用タイムスロット上でデータを送信する工程と、
前記無線基地局において、上りリンク用タイムスロットに対してチャネル推定を行う工程とを有し、
前記決定する工程において、前記チャネル推定が行われた時点と第１の下りリンク用タイムスロットとの時間差が所定の閾値以下の範囲であり、かつ、一人のユーザが該第１の下りリンク用タイムスロットを共有している場合、該第１の下りリンク用タイムスロットにおいてＴｘＡＡを適用すると決定し、その他の場合には、該第１の下りリンク用タイムスロットにおいて送信ダイバーシチを用いないか或いはＳＴＤを適用すると決定することを特徴とする無線通信制御方法。
【請求項８】
前記無線基地局において、上りリンク用タイムスロットに対してチャネル推定を行う工程を有し、
前記決定する工程において、特定の下りリンク用タイムスロットにおいてＳＴＤ又はＴｘＡＡが適用されると決定された場合、前記チャネル推定の結果に基づいて、該ＳＴＤ又は該ＴｘＡＡで用いられる重み付け係数を決定することを特徴とする請求項５乃至７のいずれか一項に記載の無線通信制御方法。
【発明の詳細な説明】
【０００１】
【発明の属する技術分野】
本発明は、無線基地局及び無線通信制御方法に関する。本発明は、特に、ＩＭＴ-２０００  ＣＤＭＡ  ＴＤＤ方式において「送信ダイバーシチ」を用いる無線基地局及び無線通信制御方法に関する。
【０００２】
【従来の技術】
一般に、無線通信では「フェージング」が発生し、このフェージングにより伝送品質、すなわちビット誤り率特性が大きく劣化する。
【０００３】
このフェージングによる伝送品質の劣化を補償する方法として「送信ダイバーシチ」が知られている。以下に、この送信ダイバーシチの一種である「下りリンク送信ダイバーシチ（Ｄｏｗｎｌｉｎｋ  Ｔｒａｎｓｍｉｔ  Ｄｉｖｅｒｓｉｔｙ）」について説明する（参考文献：３ＧＰＰ  ＴＳ２５.２２４  Ｖ４.０.０）。
【０００４】
図５に、従来の「下りリンク送信ダイバーシチ」を用いた無線基地局５０の構成の一部を示す。図５では、無線基地局５０の構成のうち、データ送信にかかる部分のみを示す。無線基地局５０は、図５のように、符号化部５１と、拡散部５２と、重み付け部５３１,５３２と、フィルタ部５４１,５４２と、送信部５５１,５５２と、アンテナ部５６１,５６２と、上りリンクチャネル推定部（Ｕｐｌｉｎｋ  ｃｈａｎｎｅｌ  ｅｓｔｉｍａｔｅ）５７とを具備している。
【０００５】
符号化部５１は、拡散部５２に接続されており、無線通信チャネルを介して送信されるデータ（以下、送信データ）について所定の方式で符号化及びインターリーブを行い、符号化及びインターリーブを行った送信データを拡散部５２に送信するものである。
【０００６】
拡散部５２は、符号化部５１と重み付け部５３１,５３２とに接続されており、符号化部５１より送信された送信データについて所定の方式で拡散及びスクランブルを行い、拡散及びスクランブルを行った送信データを重み付け部５３１,５３２に送信するものである。
【０００７】
重み付け部５３１,５３２は、拡散部５２とフィルタ部５４１,５４２と上りリンクチャネル推定部５７とに接続されており、それぞれ、拡散部５２より送信された送信データに対して、上りリンクチャネル推定部５７より送信された重み付け係数Ｗ１,Ｗ２によって重み付け（例えば乗算）するものである。重み付け部５３１,５３２は、重み付けした送信データをフィルタ部５４１,５４２に送信するものである。
【０００８】
フィルタ部５４１,５４２は、重み付け部５３１,５３２と送信部５５１,５５２とに接続されており、重み付け部５３１,５３２より送信された送信データをフィルタリング処理を施し、フィルタリング処理が施された送信データを送信部５５１,５５２に送信するものである。
【０００９】
送信部５５１,５５２は、フィルタ部５４１,５４２とアンテナ部５６１,５６２とに接続されており、フィルタ部５４１,５４２より送信された送信データを、アンテナ部５６１,５６２と協働して所定の搬送周波数等で送信するものである。
【００１０】
上りリンクチャネル推定部５７は、重み付け部５３１,５３２とアンテナ部５６１,５６２とに接続されており、アンテナ部５６１,５６２を介して設定されている上りリンク用の無線通信チャネル（例えば、タイムスロットや拡散符号や搬送周波数等）を監視することにより、当該上りリンク用の無線通信チャネルの状況（例えば、波形歪み、遅延ゆらぎ、振幅ゆらぎ、位相ずれ等）を推定し（チャネル推定を行い）、このチャネル推定結果に応じて重み付け係数Ｗ１,Ｗ２を決定し、決定した重み付け係数Ｗ１,Ｗ２を重み付け部５３１,５３２に送信するものである。
【００１１】
例えば、「下りリンク送信ダイバーシチ」の一種である「ＳＴＤ（Ｓｅｌｅｃｔｉｖｅ  Ｔｒａｎｓｍｉｔ  Ｄｉｖｅｒｓｉｔｙ）」の場合、重み付け係数Ｗ１は「１」又は「０」であり、その際の重み付け係数Ｗ２はそれぞれ「０」又は「１」である。この結果、フィルタ部５４１と送信部５５１とアンテナ部５６１とからなる第１の送信系統と、フィルタ部５４２と送信部５５２とアンテナ部５６２とからなる第２の送信系統のうち、どちらか一方の送信系統のみを用いて送信データを送信することになる。
【００１２】
また、「下りリンク送信ダイバーシチ」の一種である「ＴｘＡＡ（Ｔｒａｎｓｍｉｔ  Ａｄａｐｔｉｖｅ  Ａｎｔｅｎｎａｓ）」の場合、それぞれのアンテナ部５６１,５６２に、重み付け係数を付加することができる。
【００１３】
図６（ａ）,（ｂ）に、ＩＭＴ-２０００  ＣＤＭＡ  ＴＤＤ方式の無線通信チャネルで用いられるタイムスロットの構成を示す。この方式では、符号多重方式を用いて１つのタイムスロットを複数のユーザ（移動局）で共有することが可能であり、また、複数のタイムスロットを１人のユーザ（移動局）で占有することも可能である。
【００１４】
例えば、図６（ａ）に示すタイムスロットが使用されている場合、上りリンクチャネル推定部５７は、上りリンク（ＵＬ）用タイムスロットＵＬ＃２に対するチャネル推定結果を下りリンク（ＤＬ）用タイムスロッＤＬ＃３に反映したり、上りリンク（ＵＬ）用タイムスロットＵＬ＃４に対するチャネル推定結果を下りリンク（ＤＬ）用タイムスロットＤＬ＃５に反映したりするように、直前の上りリンク（ＵＬ）用タイムスロットに対するチャネル推定結果に応じて「下りリンク送信ダイバーシチ」を制御する。
【００１５】
また、例えば、図６（ｂ）に示すタイムスロットが使用されている場合、上りリンクチャネル推定部５７は、上りリンク（ＵＬ）用タイムスロット＃２に対するチャネル推定結果を、以後の全てのタイムスロット（＃３乃至＃１５）に反映させるように「下りリンク送信ダイバーシチ」を制御する。
【００１６】
【発明が解決しようとする課題】
しかしながら、従来の「下りリンク送信ダイバーシチ」を用いた無線基地局及び無線通信制御方法では、符号多重方式を用いて１つのタイムスロットを複数のユーザ（移動局）で共有する場合、複数（例えば、２つ）のアンテナと、１つのタイムスロットを共有する全てのユーザ（移動局）との間で、同時に無線通信が行われる。したがって、ユーザ（移動局）側で、取り除く必要がある他のユーザ（移動局）からの干渉信号の量が非常に多くなり、伝送品質が劣化するという問題点があった。
【００１７】
そこで、本発明は、以上の点に鑑みてなされたもので、「下りリンク送信ダイバーシチ」を用いた無線基地局及び無線通信制御方法において、符号多重方式を用いて１つのタイムスロットを複数のユーザ（移動局）で共有する場合であっても、無線通信の伝送品質の劣化を補償することを目的とする。
【００１８】
【課題を解決するための手段】
本発明に係る無線基地局及び無線通信制御方法は、上りリンク用タイムスロットに対してチャネル推定を行うチャネル推定手段と、下りリンク用タイムスロットごとに、前記チャネル推定の結果と、符号多重方式により該下りリンク用タイムスロットを共有するユーザ数とに応じて、適用する送信ダイバーシチを制御する送信ダイバーシチ制御手段と、制御された前記送信ダイバーシチを用いて、前記下りリンク用タイムスロット上でデータを送信するデータ送信手段とを具備することを特徴とするものである。
【００１９】
かかる発明によれば、送信ダイバーシチ制御手段が、下りリンク用タイムスロットを共有するユーザ数に応じて、適用する送信ダイバーシチを制御するため、符号多重方式を用いて１つのタイムスロットを複数のユーザ（移動局）で共有する場合には、送信ダイバーシチを適用しないように制御することによって、取り除く必要がある他のユーザ（移動局）からの干渉信号の量が非常に多くなり、伝送品質が劣化するという問題点を解決することができる。
【００２０】
また、上述の無線基地局及び無線通信制御方法において、前記送信ダイバーシチ制御手段が、前記チャネル推定が行われた時点との時間差に応じて、前記下りリンク用タイムスロットごとに、前記送信ダイバーシチを制御することが好ましい。
【００２１】
また、上述の無線基地局及び無線通信制御方法において、前記送信ダイバーシチ制御手段が、前記下りリンク用タイムスロットごとに、送信ダイバーシチを用いるか否かを決定することが好ましい。
【００２２】
また、上述の無線基地局及び無線通信制御方法において、前記送信ダイバーシチ制御手段が、前記下りリンク用タイムスロットごとに、適用する送信ダイバーシチの種類を決定することが好ましい。
【００２３】
【発明の実施の形態】
（本発明の実施形態に係る無線基地局の構成）
本発明の実施形態に係る無線基地局の構成について図を参照しながら説明する。図１は、本実施形態に係る無線基地局１０の概要構成を示す図である。
【００２４】
本実施形態に係る無線基地局１０は、無線通信チャネルを介して無線情報端末に送信データを送信するものである。無線基地局１０は、図１に示すように、符号化部１１と、拡散部１２と、分配部１３と、下りリンク（ＤＬ）タイムスロットダイバーシチ制御部１４と、送信処理部１５と、上りリンクチャネル推定部１６とを具備している。
【００２５】
符号化部１１及び拡散部１２は、従来の無線基地局５０の符号化部５１と拡散部５２と同一の機能を有する。符号化部１１は、拡散部１２に接続されており、拡散部１２は、符号化部１１と分配部１３とに接続されている。
【００２６】
分配部１３は、拡散部１２と下りリンク（ＤＬ）タイムスロットダイバーシチ制御部１４とに接続されており、拡散部１２より送信された送信データを、下りリンク（ＤＬ）用のタイムスロット（ＤＬ＃１乃至ＤＬ＃Ｎ）ごとに分割し、分割したタイムスロット（ＤＬ＃１乃至ＤＬ＃Ｎ）ごとの送信データを、該当する下りリンク（ＤＬ）第１乃至第Ｎタイムスロットダイバーシチ制御部１４１乃至１４Ｎに送信するものである。
【００２７】
また、分配部１３は、下りリンク（ＤＬ）用のタイムスロット（ＤＬ＃１乃至ＤＬ＃Ｎ）の各々を共有しているユーザ数を、該当する下りリンク（ＤＬ）第１乃至第Ｎタイムスロットダイバーシチ制御部１４１乃至１４Ｎに送信するものである。
【００２８】
下りリンク（ＤＬ）タイムスロットダイバーシチ制御部１４は、分配部１３と送信処理部１５と上りリンクチャネル推定部１６とに接続されており、下りリンク（ＤＬ）用の各タイムスロット（ＤＬ＃１乃至ＤＬ＃Ｎ）に対応する下りリンク（ＤＬ）第１乃至第Ｎタイムスロットダイバーシチ制御部１４１乃至１４Ｎによって構成されている。
【００２９】
下りリンク（ＤＬ）第１乃至第Ｎタイムスロットダイバーシチ制御部１４１乃至１４Ｎは、上りリンクチャネル推定部１６により送信された上りリンク（ＵＬ）用の無線通信チャネルに対するチャネル推定結果と、分配部１３により送信された上述のユーザ数とに応じて、それぞれの対応する下りリンク（ＤＬ）用のタイムスロット（ＤＬ＃１乃至ＤＬ＃Ｎ）において、送信ダイバーシチを適用するか否かを決定したり、又は、どのような送信ダイバーシチを適用するか（送信ダイバーシチの種類）について決定することによってダイバーシチ制御を行う。ここで適用される送信ダイバーシチとしては、例えば、下りリンク送信ダイバーシチ（ＳＴＤやＴｘＡＡ等）が挙げられる。
【００３０】
例えば、図６（ａ）に示すタイムスロットにおいて、複数のユーザ（移動局）が下りリンク用タイムスロットＤＬ＃３を共有しており、一人のユーザ（移動局）が下りリンク用タイムスロットＤＬ＃５を占有している場合、下りリンク（ＤＬ）第３タイムスロットダイバーシチ制御部１４３が、下りリンク用タイムスロットＤＬ＃３に対して送信ダイバーシチ制御を適用しない（又は、ＳＴＤを適用する）と決定し、下りリンク（ＤＬ）第５タイムスロットダイバーシチ制御部１４５が、下りリンク用タイムスロットＤＬ＃５に対してＴｘＡＡを適用すると決定することができる。
【００３１】
また、例えば、図６（ａ）に示すタイムスロットにおいて、所定数以上のユーザ（移動局）が下りリンク用タイムスロットＤＬ＃３を共有しており、所定数未満のユーザ（移動局）が下りリンク用タイムスロットＤＬ＃５を占有している場合、下りリンク（ＤＬ）第３タイムスロットダイバーシチ制御部１４３が、下りリンク用タイムスロットＤＬ＃３に対して送信ダイバーシチ制御を適用しない（又は、ＳＴＤを適用する）と決定し、下りリンク（ＤＬ）第５タイムスロットダイバーシチ制御部１４５が、下りリンク用タイムスロットＤＬ＃５に対してＴｘＡＡを適用すると決定することができる。
【００３２】
送信処理部１５は、下りリンク（ＤＬ）タイムスロットダイバーシチ制御部１４と上りリンクチャネル推定部１６とに接続されており、下りリンク（ＤＬ）タイムスロットダイバーシチ制御部１４より送信された送信データに対して、下りリンク（ＤＬ）タイムスロットダイバーシチ制御部１４により決定された送信ダイバーシチに従った処理（例えば、送信系統の選択や送信系統ごとの重み付け処理等）を施した後、必要に応じてフィルタリング処理を施し、当該処理を施された送信データをアンテナ部１５ａ１,１５ａ２を介して送信するものである。
【００３３】
上りリンクチャネル推定部１６は、下りリンク（ＤＬ）タイムスロットダイバーシチ制御部１４とアンテナ部１５ａ１,１５ａ２とに接続されており、アンテナ部１５ａ１,１５ａ２を介して設定されている上りリンク用の無線通信チャネルを監視することにより、当該上りリンク用の無線通信チャネルの状況（例えば、波形歪み、遅延ゆらぎ、振幅ゆらぎ、位相ずれ等）を推定し（チャネル推定を行い）、このチャネル推定結果を下りリンク（ＤＬ）タイムスロットダイバーシチ制御部１４に送信するものである。
【００３４】
（本実施形態に係る無線基地局の動作）
上記構成を有する無線基地局１０の動作について、図２を参照にして説明する。図２は、無線基地局１０が、入力された送信データを、無線通信チャネルを介して送信するまでの動作を示すフローチャート図である。
【００３５】
図２に示すように、ステップ２０１において、無線通信チャネルを介して送信される送信データが、符号化部１１に入力される。符号化部１１は、入力された送信データに対して符号化及びインターリーブを施し、当該送信データを拡散部１２に送信する。拡散部１２は、当該送信データに対して拡散及びスクランブル化を施し、当該送信データを分配部１３に送信する。
【００３６】
ステップ２０２において、分配部１３は、拡散部１２より送信された送信データを、下りリンク（ＤＬ）用のタイムスロット（ＤＬ＃１乃至ＤＬ＃Ｎ）ごとに分割し、分割したタイムスロット（ＤＬ＃１乃至ＤＬ＃Ｎ）ごとの送信データを、該当する下りリンク（ＤＬ）第１乃至第Ｎタイムスロットダイバーシチ制御部１４１乃至１４Ｎに送信する。
【００３７】
ステップ２０３において、下りリンク（ＤＬ）第１乃至第Ｎタイムスロットダイバーシチ制御部１４１乃至１４Ｎは、上りリンクチャネル推定部１６により送信された上りリンク（ＵＬ）用の無線通信チャネルに対するチャネル推定結果と、分配部１３により送信された上述のユーザ数とに応じて、それぞれの対応する下りリンク（ＤＬ）用のタイムスロット（ＤＬ＃１乃至ＤＬ＃Ｎ）において、送信ダイバーシチを適用するか否かを決定したり、又は、どのような送信ダイバーシチを適用するかについて決定することによってダイバーシチ制御を行う。
【００３８】
ステップ２０４において、送信処理部１５は、下りリンク（ＤＬ）タイムスロットダイバーシチ制御部１４より送信された送信データに対して、下りリンク（ＤＬ）タイムスロットダイバーシチ制御部１４により決定された送信ダイバーシチに従った処理（例えば、送信系統の選択や送信系統ごとの重み付け処理等）を施した後、必要に応じてフィルタリング処理を施し、当該処理を施された送信データをアンテナ部１５ａ１,１５ａ２を介して送信する。
【００３９】
（本実施形態に係る無線基地局の作用・効果）
本実施形態に係る無線基地局１０によれば、下りリンク第１乃至第Ｎタイムスロットダイバーシチ制御部１４１乃至１４Ｎが、下りリンク用タイムスロット（ＤＬ＃１乃至ＤＬ＃Ｎ）を共有するユーザ数に応じて、適用する送信ダイバーシチを制御するため、符号多重方式を用いて１つのタイムスロットを複数のユーザ（移動局）で共有する場合には、送信ダイバーシチを適用しないように制御することによって、取り除く必要がある他のユーザ（移動局）からの干渉信号の量が非常に多くなり、伝送品質が劣化するという問題点を解決することができる。
【００４０】
（変更例１に係る無線基地局の構成）
なお、本発明は、上記実施形態に限定されるものではなく、例えば、図３に示すように、分配部２３と下りリンク（ＤＬ）タイムスロットダイバーシチ制御部２４との間に、閾値データ比較部２７を設けてもよい。
【００４１】
閾値データ比較部２７は、下りリンク（ＤＬ）用のタイムスロット（ＤＬ＃１乃至ＤＬ＃Ｎ）の各々について、上述のチャネル推定を行ったタイムスロットからの時間差を測定し、この測定結果である時間差と、所定の閾値データとしての時間差とを比較するものである。そして、閾値データ比較部２７は、上述の比較結果を、それぞれ該当する下りリンク（ＤＬ）第１乃至第Ｎタイムスロットダイバーシチ制御部２４１乃至２４Ｎに送信する。
【００４２】
下りリンク（ＤＬ）第１乃至第Ｎタイムスロットダイバーシチ制御部２４１乃至２４Ｎは、上りリンクチャネル推定部２６による上りリンクチャネルに対するチャネル推定結果と、分配部２３により送信された上述のユーザ数と、閾値データ比較部２７より送信された比較結果とに応じて、それぞれの対応する下りリンク（ＤＬ）用のタイムスロット（ＤＬ＃１乃至ＤＬ＃Ｎ）において、送信ダイバーシチを適用するか否かを決定したり、又は、どのような送信ダイバーシチを適用するかについて決定することによってダイバーシチ制御を行う。ここで適用される送信ダイバーシチとしては、例えば、下りリンク送信ダイバーシチ（ＳＴＤやＴｘＡＡ等）が挙げられる。
【００４３】
例えば、図６（ｂ）に示すタイムスロットにおいて、複数のユーザ（移動局）が下りリンク用タイムスロットＤＬ＃５及びＤＬ＃６をそれぞれ共有しており、一人のユーザ（移動局）が下りリンク用タイムスロットＤＬ＃３及びＤＬ＃４をそれぞれ占有している場合、上述の測定結果である時間差が、所定の閾値データとしての時間差（例えば、４タイムスロット）以下の範囲であり、かつ、一人のユーザ（移動局）により占有されているタイムスロット、すなわち、ＤＬ＃３及びＤＬ＃４において、下りリンク（ＤＬ）第３及び第４タイムスロットダイバーシチ制御部２４３乃至２４６が、ＴｘＡＡを適用すると決定し、上記以外のタイムスロット、すなわち、ＤＬ＃５乃至ＤＬ＃１５において、下りリンク（ＤＬ）第５乃至第１５タイムスロットダイバーシチ制御部２４５乃至２４１５が、ＳＴＤを適用する（又は、送信ダイバーシチを適用しない）と決定することができる。
【００４４】
（本変更例に係る無線基地局の動作）
上記構成を有する無線基地局２０の動作について、図４を参照にして説明する。図４は、無線基地局２０が、入力された送信データを、無線通信チャネルを介して送信するまでの動作を示すフローチャート図である。
【００４５】
図４に示すように、ステップ４０１において、無線通信チャネルを介して送信される送信データが、符号化部２１に入力される。符号化部２１は、入力された送信データに対して符号化及びインターリーブを施し、当該送信データを拡散部２２に送信する。拡散部２２は、当該送信データに対して拡散及びスクランブル化を施し、当該送信データを分配部２３に送信する。
【００４６】
ステップ４０２において、分配部２３は、拡散部１２より送信された送信データを、下りリンク（ＤＬ）用のタイムスロット（ＤＬ＃１乃至ＤＬ＃Ｎ）ごとに分割し、分割したタイムスロット（ＤＬ＃１乃至ＤＬ＃Ｎ）ごとの送信データを、該当する下りリンク（ＤＬ）第１乃至第Ｎタイムスロットダイバーシチ制御部２４１乃至２４Ｎに送信する。
【００４７】
ステップ４０３において、閾値データ比較部２７は、下りリンク用タイムスロット（ＤＬ＃１乃至ＤＬ＃Ｎ）の各々について、チャネル推定を行ったタイムスロットからの時間差を測定し、この測定結果である時間差と、所定の閾値データとしての時間差とを比較する。そして、閾値データ比較部２７は、上述の比較結果を、それぞれ該当する下りリンク（ＤＬ）第１乃至第Ｎタイムスロットダイバーシチ制御部２４１乃至２４Ｎに送信する。
【００４８】
ステップ４０４において、下りリンク（ＤＬ）第１乃至第Ｎタイムスロットダイバーシチ制御部２４１乃至２４Ｎは、上りリンクチャネル推定部２６による上りリンクチャネルに対するチャネル推定結果と、分配部２３により送信された上述のユーザ数と、閾値データ比較部２７より送信された比較結果とに応じて、それぞれの対応する下りリンク（ＤＬ）用のタイムスロット（ＤＬ＃１乃至ＤＬ＃Ｎ）において、送信ダイバーシチを適用するか否かを決定したり、又は、どのような送信ダイバーシチを適用するかについて決定することによってダイバーシチ制御を行う。
【００４９】
ステップ４０５において、送信処理部２５は、下りリンク（ＤＬ）タイムスロットダイバーシチ制御部２４より送信された送信データに対して、下りリンク（ＤＬ）第１乃至第Ｎタイムスロットダイバーシチ制御部２４により決定された送信ダイバーシチに従った処理（例えば、送信系統の選択や送信系統ごとの重み付け処理等）を施した後、必要に応じてフィルタリング処理を施し、当該処理を施された送信データをアンテナ部２５ａ１,２５ａ２を介して送信する。
【００５０】
（本変更例に係る無線基地局の作用・効果）
本実施形態に係る無線基地局２０によれば、下りリンク第１乃至第Ｎタイムスロットダイバーシチ制御部２４１乃至２４Ｎが、下りリンク用タイムスロット（ＤＬ＃１乃至ＤＬ＃Ｎ）を共有するユーザ数に応じて、適用する送信ダイバーシチを制御するため、符号多重方式を用いて１つのタイムスロットを複数のユーザ（移動局）で共有する場合には、送信ダイバーシチを適用しないように制御することによって、取り除く必要がある他のユーザ（移動局）からの干渉信号の量が非常に多くなり、伝送品質が劣化するという問題点を解決することができる。
【００５１】
【発明の効果】
以上説明したように本発明によれば、「下りリンク送信ダイバーシチ」を用いた無線基地局及び無線通信制御方法において、符号多重方式を用いて１つのタイムスロットを複数のユーザ（移動局）で共有する場合であっても、無線通信の伝送品質の劣化を補償することが可能である。
【図面の簡単な説明】
【図１】本発明の一実施形態に係る無線基地局の概略構成図である。
【図２】本発明の一実施形態に係る無線基地局が、入力された送信データを、無線通信チャネルを介して送信するまでのフローを示すフローチャート図である。
【図３】本発明の一変更例に係る無線基地局の概略構成図である。
【図４】本発明の一変更例に係る無線基地局が、入力された送信データを、無線通信チャネルを介して送信するまでのフローを示すフローチャート図である。
【図５】従来技術に係る無線基地局の概略構成図である。
【図６】従来技術に係る無線基地局で用いられるタイムスロットの構成を示す図である。
【符号の説明】
１０、２０、５０…無線基地局
１１、２１、５１…符号化部
１２、２２、５２…拡散部
１３、２３…分配部
１４、２４…下りリンク（ＤＬ）タイムスロットダイバーシチ制御部
１５、２５…送信処理部
１５ａ１、１５ａ２、２５ａ１、２５ａ２、５６１、５６２…アンテナ部
１６、２６、５７…上りチャネル推定部
２７…閾値データ比較部
５３１、５３２…重み付け部
５４１、５４２…フィルタ部
５５１、５５２…送信部
【図１】
0003975069.tif 000002
【図２】
0003975069.tif 000003
【図３】
0003975069.tif 000004
【図４】
0003975069.tif 000005
【図５】
0003975069.tif 000006
【図６】
0003975069.tif 000007